(57)【要約】      （修正有）【課題】観賞用水槽の大きさに比例して拡大、縮小できる背景パーツ収容器具を提供する。【解決手段】観賞用水槽の背景パーツ収容器具は、方形をした枠体よりなるベース枠２Ａの左右方向に延伸可能な左右１対の背景画像シート保持枠３、ベース枠２Ａの上方向に延伸可能な左右１対の水槽上端に固定するための水槽上端結合棹４及びベース枠２Ａ下方向に延伸可能な左右１対の観賞用パーツ載置用の底板保持用結合棹５を備えている。従って、背景パーツ収容器具を水槽の大きさに応じて上下左右に拡大できる。そして、底板保持用結合棹５の上にはめ込んだ底板７の上に立体的な背景パーツを乗せ、背景画像シート６を保持枠３にはめ込み、この背景パーツ収容器具を水槽の後ろに取り付け、水槽の表から鑑賞魚を鑑賞すると立体的なパーツとさらにその後ろに背景画像が透視でき、観賞用水槽の美的価値を高めることができる。【選択図】図２
2020124173.tif 000002
【特許請求の範囲】
【請求項１】
方形をした枠体よりなるベース枠、
該ベース枠の左右方向に延伸可能な左右１対の背景画像シート保持枠、
上記ベース枠の上方に設けられ上方向に延伸可能な左右１対の水槽上端に固定するための
水槽上端結合棹、及び、
上記ベース枠の下方に設けられ下方向に延伸可能な左右１対の観賞用パーツ載置用の底板
保持用結合棹を備えたことを特徴とする観賞用水槽の背景パーツ収容器具。
【請求項２】
請求項１の方形をした枠体よりなるベース枠は、正方形または長方形の枠体よりなること
を特徴とする観賞用水槽の背景パーツ収容器具。
【請求項３】
請求項１の背景画像シート保持枠は、コの字型枠体よりなり、請求項２のベース枠の上辺
及び下辺に取り付けられた中空パイプに上記コの字型枠体の両脚部を挿入して左右方向に
摺動自在に設けられていると共に、上記コの字状枠体の端部に上記背景画像シートの両端
を保持するための挿入部が設けられていることを特徴とする観賞用水槽の背景パーツ収容
器具。
【請求項４】
請求項１の水槽上端結合棹は、Ｌ字状棒材よりなり、その脚部は請求項２のベース枠の側
辺上部に取り付けられた中空パイプに挿入して上下方向に摺動自在に設けられていると共
に、上記Ｌ字状棒材の先端に水槽上端に固定するための水槽上端結合部材が設けられてい
ることを特徴とする観賞用水槽の背景パーツ収容器具。
【請求項５】
請求項１の底板保持用結合棹は、Ｌ字状棒材よりなり、その脚部は請求項２のベース枠の
側辺下部に取り付けられた中空パイプに挿入して上下方向に摺動自在に設けられていると
共に、上記Ｌ字状棒材の先端は上方に折り曲げられて上記底板の端部を保持するための底
板保持端部が形成されていることを特徴とする観賞用水槽の背景パーツ収容器具。
【請求項６】
請求項１の方形をした枠体よりなるベース枠は、長方形の枠体の内部に正方形の枠体が形
成されるように２本の補助桟が設けられていることを特徴とする観賞用水槽の背景パーツ
収容器具。
【請求項７】
請求項１の背景画像シート保持枠は、コの字型枠体よりなり、請求項６のベース枠を横向
きに使用した場合は、該ベース枠の上辺及び下辺に取り付けられた中空パイプに上記コの
字型枠体の両脚部を挿入して左右方向に摺動自在に設けられており、請求項６のベース枠
を縦向きに使用した場合は、該ベース枠の補助桟に取り付けられた中空パイプに上記コの
字型枠体の両脚部を挿入して左右方向に摺動自在に設けられていると共に、上記コの字状
枠体の端部に上記背景画像シートの両端を保持するための挿入部が設けられていることを
特徴とする観賞用水槽の背景パーツ収容器具。
【請求項８】
請求項１の水槽上端結合棹は、Ｌ字状棒材よりなり、その脚部は、請求項６のベース枠を
横向きに使用した場合は、該ベース枠の補助桟に取り付けられた中空パイプに挿入して上
下方向に摺動自在に設けられており、請求項６のベース枠を縦向きに使用した場合は、該
ベース枠の側辺に取り付けられた中空パイプに挿入して上下方向に摺動自在に設けられて
いると共に、上記Ｌ字状棒材の先端に水槽上端に固定するための水槽上端結合部材が設け
られていることを特徴とする観賞用水槽の背景パーツ収容器具。
【請求項９】
請求項１の底板保持用結合棹は、Ｌ字状棒材よりなり、その脚部は、請求項６のベース枠
を横向きに使用した場合は、該ベース枠の補助桟に取り付けられた中空パイプに挿入して
上下方向に摺動自在に設けられており、請求項６のベース枠を縦向きに使用した場合は、
該ベース枠の側辺に取り付けられた中空パイプに挿入して上下方向に摺動自在に設けられ
ていると共に、上記Ｌ字状棒材の先端は上方に折り曲げられて上記底板の端部を保持する
ための底板保持端部を形成していることを特徴とする観賞用水槽の背景パーツ収容器具。
【請求項１０】
上記請求項４の水槽上端結合部材の固定手段として挟持、係止、接着、真空パットよりな
る群から選ばれたいずれかの手段を使用することを特徴とする観賞用水槽の背景パーツ収
容器具。
【請求項１１】
上記請求項１０の水槽上端結合部材の挟持手段としては、Ｌ字状棒材よりなる挟持部材を
備え、その脚部は上記水槽上端結合棹のＬ字状棒材の上面に取り付けられた中空パイプに
挿入して前後方向に摺動自在に設けられていると共に、該挟持部材の先端部を下方に折り
曲げて構成された挟持端部と、上記水槽上端結合棹の先端を下方に折り曲げて構成された
挟持端部によって、水槽上部の開口縁を挟持するように構成されていることを特徴とする
観賞用水槽の背景パーツ収容器具。
【請求項１２】
請求項２または請求項６のベース枠に取り付けられた中空パイプと、上記コの字型枠体の
両脚部との相対位置、上記水槽上端結合棹のＬ字状棒材の脚部との相対位置および上記底
板保持用結合棹のＬ字状棒材の脚部との相対位置並びに、請求項１１の水槽上端結合棹の
Ｌ字状棒材に取り付けられた中空パイプと上記水槽上端結合部材のＬ字状棒体よりなる挟
持部材の脚部との相対位置を予め定められた位置に固定するための手段として、溶接、溶
着、接着、螺着、合成樹脂によるコーティング、針金等による巻回、接着テープによる巻
着よりなる群から選ばれたいずれか１つ又は２つ以上の手段を使用することを特徴とする
観賞用水槽の背景パーツ収容器具。
【発明の詳細な説明】
【技術分野】
【０００１】
本発明は、金魚や熱帯魚を飼育する鑑賞用水槽、特に、観賞用水槽の背景を人為的に作る
ための背景パーツを収容する収納器具に関する。
【背景技術】
【０００２】
鑑賞用水槽の背景を作るために、水槽の裏面に背景を描いた紙、即ちバックスクリーンを
張り付けた水槽は従来より広く知られている。即ち、そのようなバックスクリーンを備え
た水槽の先行技術は、例えば、特開平８−９８２４号公報に記載されている。
【先行技術文献】
【特許文献】
【０００３】
【特許文献１】特開平８−９８２４号公報
【発明の概要】
【発明が解決しようとする課題】
【０００４】
上記特開平８−９８２４号公報に開示されている観賞用水槽は、風景や事物などの背景画
が印刷された印刷紙を水槽の裏面に貼り付けた物である。
このように平面的な印刷紙に印刷された画面は立体感に乏しく、観賞用水槽としては、興
趣に欠けるという欠点がある。
【０００５】
また、観賞用の水槽は大小様々なものが用いられている。
そのために背景画面のシートを保持するための枠体もその水槽の大きさに合わせて各種の
サイズのものを用意しなければならないという欠点がある。
【０００６】
本発明は、背景として立体的なパーツをそのまま使用することにより、立体的な背景が観
察できる鑑賞用水槽のための背景パーツ収容器具を提供することを目的とする。
【０００７】
本発明は、観賞用水槽の大きさに比例して拡大、縮小できる背景パーツ収容器具を提供す
ることを他の目的とする。
【０００８】
本発明は、横型の観賞用水槽または縦型の観賞用水槽のタイプに応じて併用できる背景パ
ーツ収容器具を提供することを他の目的とする。
【課題を解決するための手段】
【０００９】
本発明の観賞用水槽の背景パーツ収容器具は、方形をした枠体よりなるベース枠、該ベー
ス枠の左右方向に延伸可能な左右１対の背景画像シート保持枠、上記ベース枠の上方に設
けられ上方向に延伸可能な左右１対の水槽上端に固定するための水槽上端結合棹、及び、
上記ベース枠の下方に設けられ下方向に延伸可能な左右１対の観賞用パーツ載置用の底板
保持用結合棹を備えたことを特徴とする。
【００１０】
上記方形をした枠体よりなるベース枠は、その標準型として、正方形又は長方形のベース
枠体が用いられる。ベース枠体の材質は金属又は合成樹脂製で、丸棒又は角棒から構成さ
れている。
【００１１】
上記背景画像シート保持枠は、コの字型枠体よりなり、上記ベース枠の上辺及び下辺に取
り付けられた中空パイプに上記コの字型枠体の両脚部を挿入して左右方向に摺動自在に設
けられていると共に、上記コの字状枠体の端部に上記背景画像シートの両端を保持するた
めの挿入部が設けられている。
【００１２】
上記水槽上端結合棹は、上記ベース枠の上辺左右両端に設けられ、各水槽上端結合棹はＬ
字状棒材よりなり、その脚部は上記ベース枠の側辺上部に取り付けられた中空パイプに挿
入されて上下方向に摺動自在に設けられていると共に、上記Ｌ字状棒材の先端に水槽上端
に固定するための水槽上端結合部材が設けられている。
【００１３】
上記底板保持用結合棹は、上記ベース枠の下辺左右両端に設けられ、各底板保持用結合棹
はＬ字状棒材よりなり、その脚部は上記ベース枠の側辺下部に取り付けられた中空パイプ
に挿入されて上下方向に摺動自在に設けられていると共に、上記Ｌ字状棒材の先端は上方
に折り曲げられて上記底板の端部を保持するための底板保持端部が設けられている。
【００１４】
上記水槽上端結合棹の水槽上端結合部材を水槽上端に結合することにより、観賞用水槽背
景パーツ収容器具を水槽に取り付け、水槽下部に押していることにより、背景パーツ収容
器具を固定する。そして底板保持用結合棹の脚部と底板保持端部の間に底板を嵌め込み、
この底板の上に立体的な背景パーツ、例えば岩石、珊瑚、植物、人工的な構造物、玩具等
を乗せれば、水槽の表から見たときに、水槽の奥に立体的な背景パーツとその奥に背景画
像が透視できるので、観賞用水槽の美的感覚を向上できる。さらに、背景パーツ収容器具
にＬＥＤ等の照明器具を併設すれば美的効果をさらに向上させることができる。
【００１５】
本発明の観賞用水槽の背景パーツ収容器具は、上記標準型の枠体以外に、長方形をした枠
体よりなるベース枠の内部に正方形の枠体が形成されるように長方形をした枠体の中に２
本の補助桟を設ければ、横型の水槽及び縦型の水槽の両方に使用できる背景パーツ収容器
具を提供することができる。
【００１６】
即ち、横型の水槽の場合は、ベース枠を横にして、長方形の枠体の上辺及び下辺に設けら
れた中空パイプに背景画像シート保持枠を挿入し、正方形の枠体の補助桟の上部裏面に設
けられた中空パイプに水槽上端結合棹の脚部を挿入し、正方形の枠体の補助桟の下部裏面
に設けられた中空パイプに底板保持用結合棹の脚部を挿入すれば、横型の水槽用の背景パ
ーツ収容器具が得られる。
【００１７】
縦型の水槽の場合は、ベース枠を裏返して縦にして、正方形の枠体の補助桟の表面上下に
設けられた中空パイプに背景画像シート保持枠を挿入し、長方形の枠体の側辺上部に設け
られた中空パイプに、水槽上端結合棹の足部を挿入し、長方形の枠体の側辺下部に設けら
れた中空パイプに、底板保持用結合棹の足部を挿入すれば、縦型の水槽用の背景パーツ収
容器具が得られる。
【００１８】
上記水槽上端結合部材を水槽に固定するための固定手段としては、挟持、係止、接着、真
空パット等のいずれかを用いることができる。そのうち挟持手段としては、Ｌ字状棒材よ
りなる挟持部材の脚部を上記水槽上端結合棹のＬ字状棒材の上面に取り付けられた中空パ
イプに挿入し、その先端に設けられ挟持端部と、上記水槽上端結合棹の先端を下方に折り
曲げて構成された挟持端部とによって、水槽上部の開口枠を挟持する。
【００１９】
係止手段による水槽上部結合部材は、Ｌ字状棒材の先端を鈎状に折り曲げ、この鈎状部を
水槽上端部に引っかけて、背景パーツ収容器具を吊り下げた状態で固定する。
【００２０】
接着手段による場合は、Ｌ字状棒材の先端を折り曲げて接合部を設け、その接合部の裏面
に接着剤を塗布して、直接水槽の外壁に接着して固定する。また、接合部をガムテープま
たは接着テープ等により水槽表面に接着して固定してもよい。
【００２１】
真空パットによる場合は、Ｌ字状棒材の先端に真空パットを取り付け、水槽表面に押しつ
けて、真空作用によって、背景パーツ収容器具を吸着固定する。
【００２２】
ベース枠、背景画像シート保持枠、水槽上端結合棹、底板保持用結合棹はいずれも丸棒で
構成する他、角棒で構成することもできる。また中空パイプは、上記部材が丸棒で構成さ
れた場合は、丸い中空パイプを使用し、角棒で構成された場合は四角の中空パイプを使用
する。
【００２３】
背景画像シートの材料としては、硬質クリアシート、プラスチックシート、紙製段ボール
、プラスチック段ボール、耐水段ボール、耐水厚紙等比較的丈夫なシートを使用すること
ができる。一枚のシートを折り曲げて２重にしたり、シートの縁を折り曲げて使用すれば
、シートの強度を高くすることができる。
【００２４】
底板の材料としては、木製、耐水厚紙、紙製段ボール、プラスチック段ボール、プラスチ
ックシート、硬質発泡樹脂シート等、比較的厚くて丈夫なシートを使用することができる
。紙製シートやプラスチックシートの場合は一枚の大きなシートを折り曲げて２重にした
り、縁を折り曲げることによって強度を高くすることができる。
【００２５】
背景画像シート保持枠、水槽上端結合棹、底板保持用結合棹は、水槽の大きさに応じて拡
大縮小できる。各部材とベース枠との相対位置を決めた後に、その位置を固定するために
は、各部材のＬ字状棒材またはコの字型枠体の脚部とそれぞれの中空パイプとを固着しな
ければならない。その具体的手段としては、溶接、溶着、圧着、接着、螺着、合成樹脂に
よるコーティング、針金等による巻回、接着テープによる巻着等が挙げられる。
【００２６】
各部材が金属材料の場合は、アーク溶接、ＴＩＧ溶接、ガス溶接、スポット溶接等通常の
溶接技術が適用できる。各部材が樹脂や非金属の場合は主として加熱による溶着技術が用
いられる。接着の場合は接着剤を用いる。素材に応じて接着剤の種類が選定される。螺着
は螺子を中空パイプの上からねじ込み、棒材の表面にその先端をねじ込み固定する。合成
樹脂によるコーティングは、塩ビ等の樹脂溶液に各部材の位置を設定した背景パーツ収容
器具をどぶ付けし、表面に合成樹脂の皮膜を形成する。このコーティングによって、各部
材の位置が固定されるとともに、好みの色彩を選ぶことにより商品価値を高めることがで
きる。針金等による巻回、接着テープによる巻着等は極めて簡単に各部材を固定すること
ができる。
【発明の効果】
【００２７】
（１）本発明の観賞用水槽の背景パーツ収容器具は背景パーツとして立体的な物品、例え
ば、家屋や植物、珊瑚、水草などを配置することにより、水槽の表から見た場合、幻想的
な背景を透視することができ、水槽の美的価値を高めることができる。背景パーツ収容器
具に、ＬＥＤ等の照明器具を併設すれば、背景パーツ、背景画像の美的感覚を一層向上さ
せることができる。
【００２８】
（２）本発明の観賞用水槽の背景パーツ収容器具は、背景パーツを水槽外に配置すること
ができるので、水槽内に配置した場合のように、水垢や汚れがつかず、長時間美しい状態
を維持することができる。
【００２９】
（３）本発明の観賞用水槽の背景パーツ収容器具は、水槽の大きさに応じて拡大縮小する
ことができるので、水槽の大きさに見合った背景パーツ及び背景画像を使用することがで
きる。
【００３０】
（４）本発明の観賞用水槽の背景パーツ収容器具は、ベース枠を９０度回転することによ
り横型の水槽及び縦型の水槽のいずれにも対応できるように構成されているので、背景パ
ーツ収容器具の使用範囲が広くなり経済的である。
【００３１】
（５）本発明の観賞用水槽の背景パーツ収容器具は、ベース枠の大きさまで、背景画像シ
ート保持枠、水槽上端結合棹、底板保持用結合棹を平面的に縮小することができるので、
商品を出荷、販売する場合コンパクトで輸送、取り扱いが容易にできるという効果がある
。
【図面の簡単な説明】
【００３２】
【図１】本発明の長方形の背景パーツ収容器具の斜面図。
【図２】図１の背景パーツ収容器具に背景画像シートと台板をはめ込んだ場合の説明図。
【図３】ａ本発明の背景パーツ収容器具の正方形ベース枠の平面図。                        ｂ  同上ベース枠の側面図。
【図４】ａ本発明の背景パーツ収容器具の長方形ベース枠の平面図            ｂ同上ベース枠の側面図。
【図５】ａ背景画像シート保持枠の平面図。ｂ背景画像シート保持枠の側面図ｃ背景画像シート保持枠の正面図
【図６】ａ水槽上端結合棹の平面図ｂ水槽上端結合棹の側面図
【図７】ａ挟持部材の平面図            ｂ挟持部材の側面図
【図８】ａ底板保持用結合棹の平面図。            ｂ底板保持用結合棹の側面図。
【図９】本発明の背景パーツ収容器具を縮小した場合の平面図。
【図１０】本発明の背景パーツ収容器具の縦横兼用のベース枠の平面図。
【図１１】本発明の縦横兼用のベース枠を横型にした場合の斜面図。
【図１２】本発明の縦横兼用のベース枠を横型にして背景画像シートと台板をはめ込んだ場合の説明図。
【図１３】本発明の縦横兼用のベース枠を縦型にした場合の斜面図。
【図１４】本発明の縦横兼用のベース枠を縦型にして背景画像シートと台板をはめ込んだ場合の説明図。
【図１５】角材を使用した場合のベース枠の側面図。
【図１６】本発明の背景パーツ収容器具を水槽に取り付けた場合の一部断面説明図。
【図１７】本発明の背景パーツ収容器具を２個横に連結して使用した場合の説明図。
【発明を実施するための形態】
【００３３】
本発明の最良の実施形態を次の実施例によって説明する。
【実施例１】
【００３４】
本実施例は横型の水槽に対応する観賞用水槽の背景パーツ収容器具の実施例を示すもので
ある。
図１は、本発明の観賞用水槽の背景パーツ収容器具１の標準型の長方形のベース枠体２Ａ
１２に取り付けた背景画像シート保持枠３、３、水槽上端結合棹４，４及び底板保持用結
合棹５，５をそれぞれ伸張した場合の斜視図である。
【００３５】
ベース枠２Ａは、図３および図４に示されるように、標準型のベース枠として正方形のベ
ース枠と長方形のベース枠の２種類が用意されている。
正方形のベース枠は、図３に示されるように丸棒からなる正方形のベース枠体２Ａ１１か
ら構成されている。ベース枠体２Ａ１１の上辺には左右２つの中空パイプ２２，２２が、
下辺には左右２つの中空パイプ２５，２５が、側辺には左右及び上下に４つの中空パイプ
２３，２３，２４，２４が溶接等の手段によって枠体２Ａ１１に固着されている。これら
の中空パイプ２２〜２５はいずれも図３ｂに示されるようにベース枠体２Ａ１１の裏面に
設けられている。
中空パイプ２２，２２はベース枠体２Ａ１１の上に、中空パイプ２５，２５はベース枠体
２Ａ１１の下に設けられている。
【００３６】
長方形のベース枠２Ａは、図４に示されるように、長方形の丸棒からなるベース枠体２Ａ
１２から構成されている。ベース枠体２Ａ１２の上辺には左右２つの中空パイプ２２，２
２が、下辺には左右２つの中空パイプ２５，２５が、側辺には左右及び上下に４つの中空
パイプ２３，２３，２４，２４が枠体２Ａ１２に固着されている。
【００３７】
背景画像シート保持枠３は、図５ａに示されるように、丸棒よりなるコの字型枠体３１よ
り構成されている。図１に示されるように、コの字型枠体３１の２つの脚部３２，３３は
それぞれベース枠体２１の上下の中空パイプ２２，２５に摺動自在に挿入されている。ま
たそのコの字型枠体３１の端部は図５ｃに示すように上方に折り曲げられて、背景画像シ
ート６の両端を挿入する挿入部３４が形成されている。
【００３８】
水槽上端結合棹４は、図６ａに示されるように、Ｌ字状棒体４１から構成され、その脚部
４２は図１に示されるようにベース枠２Ａ１２の側辺上部の中空パイプ２３に摺動自在に
挿入されている。Ｌ字状棒体４１の上側に中空パイプ４３が固着されている。図７ａに示
されるＬ字状棒材よりなる挟持部材４４はその脚部４５が図１に示されるように中空パイ
プ４３に摺動自在に挿入されている。挟持部材４４の先端は下方に屈曲されて挟持端部４
７を形成している。Ｌ字状棒体４１の先端も下方に屈曲されて挟持端部４６が形成されて
いる。挟持端部４６と挟持端部４７で水槽の上端開口部を挟み付けて背景パーツ収容器具
１を固定する。
【００３９】
図８は底板保持用結合棹５で、Ｌ字状棒体５１よりなり、その脚部５２は図１に示される
ようにベース枠体２１の側辺下部の中空パイプ２４に摺動自在に挿入される。Ｌ字状棒体
５１の先端は上方に屈曲されて底板保持端部５３を形成する。
【００４０】
このように構成されている観賞用水槽の背景パーツ収容器具は、図２に示すように、水槽
の大きさに応じて、背景画像シート保持枠３のコの字型枠体３１を左右に伸張して水槽の
大きさ、即ち、背景画像シート６の大きさまで広げる。水槽上端結合棹４のＬ字状棒体４
１も上に伸ばして背景画像シート６の大きさに合せる。底板保持用結合棹５もＬ字状棒体
５１を下に伸ばして背景画像シート６の大きさに合せる。その状態で、背景画像シート６
の両端をコの字型枠体３１の挿入部３４に挿入して固定する。底板７は底板保持用結合棹
５のＬ字状棒体５１の脚部５２とＬ字状棒体５１の先端の保持端部５３の間にはめ込んで
固定する。底板７は通常、硬質発泡樹脂製や木製であるので、きつめに幅を設定しておけ
ば脚部５２と保持端部５３の間にはめ込まれ、固定される。
【００４１】
観賞用水槽の背景パーツ収容器具１は、図９に示すように、輸送や販売する場合は、左右
の背景画像シート保持枠３、３はそれぞれ中空パイプに２２，２５に押し込み、左右の水
槽上端結合棹４、４はそれぞれ中空パイプ２３，２３に押し込みベース枠２Ａに重なるよ
うに９０度回転させ、左右の底板保持用結合棹５、５はそれぞれ中空パイプ２４、２４に
押し込みベース枠２Ａに重なるように９０度回転させることによりほぼベース枠２Ａの大
きさに縮小できる。
【実施例２】
【００４２】
本実施例は横型の水槽及び縦型の水槽の両方に対応できる観賞用水槽の背景パーツ収容器
具の実施例を示すものである。
図１０は横縦兼用のベース枠２Ｂを示すもので、横に細長い長方形のベース枠体２Ｂ１に
２本の補助桟２Ｂ１２，２Ｂ１３が設けられ、ベース枠体２Ｂ１の中に正方形の枠体２Ｂ
１１が形成される。ベース枠体２Ｂ１の上辺には２個の中空パイプ２２，２２が枠体の上
側の左右両端に設けられている。下辺にも２個の中空パイプ２５，２５が枠体の下側の左
右両端に設けられている。補助桟２Ｂ１２の上方に中空パイプ２３が補助桟２Ｂ１２の後
ろ側に取り付けられている。補助桟２Ｂ１２の下方にも中空パイプ２４が補助桟２Ｂ１２
の後ろ側に取り付けられている。補助桟２Ｂ１３にも同様に上方に中空パイプ２３が、下
方には中空パイプ２４がそれぞれ補助桟２Ｂ１３の後ろ側に取り付けられている。
【００４３】
背景画像シート保持枠、水槽上端結合棹、底板保持用結合棹は実施例１と同じ部品を使用
する。
【００４４】
図１１は横型の水槽に使用するために、背景画像シート保持枠３、水槽上端結合棹４、及
び、底板保持用結合棹５を伸張した場合の斜視図で、右側の背景画像シート保持枠３のコ
の字型枠体３１の脚部３２はベース枠体２Ｂ１の上辺に設けられた中空パイプ２２および
ベース枠体２Ｂ１の下辺に設けられ中空パイプ２５に、左側の背景画像シート保持枠３の
コの字型枠体３１の脚部３２はベース枠体２Ｂ１の上辺に設けられた中空パイプ２２に、
脚部３３はベース枠体２Ｂ１の下辺に設けられ中空パイプ２５にそれぞれ摺動自在に挿入
される。
【００４５】
右側の水槽上端結合棹４はそのＬ字状棒体４１の脚部４２は補助桟２Ｂ１２の裏側の中空
パイプ２３に摺動自在に挿入される。左側の水槽上端結合棹４も同様にＬ字状棒体４１の
脚部４２は補助桟２Ｂ１３の上方の中空パイプ２３に摺動自在に挿入される
【００４６】
右側の底板保持用結合棹５はそのＬ字状棒体５１の脚部５２を補助桟２Ｂ１２の下方の中
空パイプ２４に摺動自在に挿入される。左側の底板保持用結合棹５も同様にＬ字状棒体５
１の脚部５２を補助桟２Ｂ１３下方の中空パイプ２４に摺動自在に挿入される。
【００４７】
図１２は、横型の背景パーツ収容器具１に、背景画像シートと底板を取り付けた状態を示
す斜視図で、背景画像シート保持枠３を左右に広げて背景画像シート６を挿入し、保持枠
３を中心方向に狭めれば、保持枠３の両端にある挿入部３４、３４に背景画像シート６の
両端がはめ込まれ固定される。
底板７を底板保持用結合棹５のＬ字状棒体５１の上に乗せる。底板７は硬質発泡樹脂や木
製の板でできているので、Ｌ字状棒体５１の水平部の長さより若干幅の広い底板を保持端
部５３と脚部５２の間に押し込めば、底板７は固定される。
【００４８】
図１３は実施例２の背景パーツ収容器具を縦型の水槽に使用するためにベース枠２Ｂを表
裏反転して縦にして使用している状態を示す斜視図である。
右側の背景画像シート保持枠３のコの字型枠体３１の脚部３２は補助桟２Ｂ１２の上面に
設けられた中空パイプ２４に、脚部３３は補助桟２Ｂ１３の上面に設けられ中空パイプ２
４に、左側の背景画像シート保持枠３のコの字型枠体３１の脚部３２は補助桟２Ｂ１２の
上面に設けられた中空パイプ２３に、脚部３３は補助桟２Ｂ１３の上面に設けられ中空パ
イプ２３にそれぞれ摺動自在に挿入される。
【００４９】
右側の水槽上端結合棹４はそのＬ字状棒体４１の脚部４２はベース枠体２Ｂ１の側辺上方
の中空パイプ２２に摺動自在に挿入される。左側の水槽上端結合棹４も同様にＬ字状棒体
４１の脚部４２はベース枠体２Ｂ１の側辺上方の中空パイプ２５に摺動自在に挿入される
【００５０】
右側の底板保持用結合棹５はそのＬ字状棒体５１の脚部５２をベース枠体２Ｂ１の側辺下
方の中空パイプ２２に摺動自在に挿入される。左側の底板保持用結合棹５も同様にＬ字状
棒体５１の脚部５２をベース枠体２Ｂ１の側辺下方の中空パイプ２５に摺動自在に挿入さ
れる。  
【００５１】
図１４は、縦型の背景パーツ収容器具１に、背景画像シートと底板を取り付けた状態を示
す斜視図で、背景画像シート保持枠３を左右に広げてその挿入部３４，３４の間に背景画
像シート６を挿入して固定する。底板７を底板保持用結合棹５のＬ字状棒体５１の上の乗
せ、保持端部５３と脚部５２の間に押し込めば、底板７は固定される。
【００５２】
実施例１、実施例２の観賞用水槽の背景パーツ収容器具は、すべて丸棒または丸い中空パ
イプより構成されているが、観賞用水槽の背景パーツ収容器具は、ベース枠、背景画像シ
ート保持枠、水槽上端結合棹、及び、底板保持用結合棹はすべて角棒で構成することもで
きる。それにともない、ベース枠および、水槽上端結合棹に取り付けられている中空パイ
プもすべて角形のパイプを使用することになる。即ち、図１５に示すように、ベース枠体
２Ａ１は角棒から構成され、上辺の中空パイプ２２、側辺の中空パイプ２３，２４，下辺
の中空パイプ２５はいずれも角形のパイプを使用している。
【００５３】
図１６は、上記実施例の観賞用水槽の背景パーツ収容器具を水槽に取り付けた状態を示す
一部断面図である。
観賞用水槽の背景パーツ収容器具１の水槽上端結合棹４の挟持端部４６，４７で、水槽８
の枠８１を挟み込んで固定する。そして、底板７上に背景パーツ９を配置する。水槽８の
正面から水槽内を除くと、観賞魚が泳いでいる背景に立体的な背景パーツ９が存在し、さ
らにその奥には背景画像シート６の画像があるので、水槽の美的感覚を一層高めることが
できる。さらに、底板７の高さは水槽８の底と同じレベルにしてもよいが、図１６の点線
で示すように、水槽内に砂８２が敷き詰められて底が高くなっている場合は、底板７の位
置を上に持ち上げ、砂層の高さと同じにすることもできる。
【００５４】
市版の水槽のサイズは、幅３０ｃｍから１２０ｃｍ、高さ２４ｃｍから６０ｃｍまで各種
のものが市販されている。本発明の背景パーツ収容器具について幅３０ｃｍの正方形ベー
ス枠のものと幅５０ｃｍの長方形ベース幅のものの２種類を製造すれば、その組み合わせ
によって、総ての水槽に対応することができる。即ち、幅３０ｃｍから４５ｃｍの水槽に
対しては、幅３０ｃｍの正方形ベース枠を使用し、それ以上で７０ｃｍまでの水槽に対し
ては、幅５０ｃｍの長方形ベース枠のものが対応できる。
【００５５】
さらにそれよりも大きいもの、幅９０ｃｍの水槽に対しては幅３０ｃｍの正方形ベース枠
を２個横に連結して使用する。１２０ｃｍ幅の水槽に対しては図１７に示すように、幅５
０ｃｍの長方形ベース枠２Ｂ１，２Ｂ１を２個横に連結して使用すれば良い。
【００５６】
即ち、左右の長方形ベース枠２Ｂ１、２Ｂ１の内側のコの字型枠体３１、３１を取り外し
、その代わりに上の左右の中空パイプ２２，２２に連結棒３５を挿入し、下の左右の中空
パイプ２５，２５に連結棒３６を挿入して連結する。
【００５７】
内側のコの字型枠体３１、３１を取り外さないで連結するには、コの字型枠体３１の脚部
を、上に飛び出ている挿入部３４が後ろ向きになるように、中空パイプに挿入し、２つの
コの字型枠体３１、３１を針金や粘着テープを巻き付けて連結しても良い。なお、それ以
上横幅が広い水槽に対しては、２個のベース枠を離して、配置し、硬質の背景画像シート
６を挿入して２個のベース枠を連結しても良い。
【符号の説明】
【００５８】
１  観賞用水槽の背景パーツ収容器具
２Ａ  標準ベース枠
２Ｂ  横縦兼用ベース枠
３  背景画像シート保持枠
４  水槽上端結合棹
５  底板保持用結合棹
６  背景画像シート
７  底板
８  水槽
９  背景パーツ
【図１】
2020124173.tif 000003
【図２】
2020124173.tif 000004
【図３】
2020124173.tif 000005
【図４】
2020124173.tif 000006
【図５】
2020124173.tif 000007
【図６】
2020124173.tif 000008
【図７】
2020124173.tif 000009
【図８】
2020124173.tif 000010
【図９】
2020124173.tif 000011
【図１０】
2020124173.tif 000012
【図１１】
2020124173.tif 000013
【図１２】
2020124173.tif 000014
【図１３】
2020124173.tif 000015
【図１４】
2020124173.tif 000016
【図１５】
2020124173.tif 000017
【図１６】
2020124173.tif 000018
【図１７】
2020124173.tif 000019